(57)【要約】【課題】原稿サイズ検出または原稿読取りの際の露光ランプ発光によるまぶしさを軽減することができる画像処理装置を提供する。【解決手段】原稿カバー１が完全に閉まる直前に原稿開閉スイッチ５がオンとなると、露光ランプが未点灯状態から原稿サイズ検出用の発光量まで複数段階で段階的に発光量を高くしながら発光し、原稿サイズ検出が開始される。【選択図】図１
2009135733.tif 000002
【特許請求の範囲】
【請求項１】
露光ランプと、未点灯状態から原稿サイズ検出用の発光量まで複数段階で段階的に発光量を高くしながら前記露光ランプを発光させる電源回路と、を備えることを特徴とする画像処理装置。
【請求項２】
前記露光ランプの各段階の各発光時間は順次短くなっていることを特徴とする請求項１に記載の画像処理装置。
【請求項３】
開閉自在な原稿カバーと、前記原稿カバーが完全に閉まる直前にオンとなるスイッチと、を備え、前記スイッチがオンとなると、前記電源回路は前記露光ランプを未点灯状態から前記原稿サイズ検出用の発光量まで前記段階的に発光させることを特徴とする請求項１または請求項２に記載の画像処理装置。
【請求項４】
露光ランプと、未点灯状態から原稿読取り用の発光量まで複数段階で段階的に発光量を高くしながら前記露光ランプを発光させる電源回路と、を備えることを特徴とする画像処理装置。
【請求項５】
前記露光ランプの各段階の各発光時間は順次短くなっていることを特徴とする請求項４に記載の画像処理装置。
【請求項６】
開閉自在な原稿カバーと、プリントボタンと、を備え、前記原稿カバーが開いた状態で前記プリントボタンが押下げられると、前記電源回路は前記露光ランプを未点灯状態から前記原稿読取り用の発光量まで前記段階的に発光させることを特徴とする請求項４または請求項５に記載の画像処理装置。
【発明の詳細な説明】
【技術分野】
【０００１】
本発明は、画像処理装置に関する。
【背景技術】
【０００２】
従来から複写機には露光ランプが備えられ、露光ランプを発光させて原稿を走査することにより原稿サイズ検出や原稿読取りが行われる。
【０００３】
このような複写機として、例えば特許文献１には、原稿サイズ検出時の露光ランプの発光量を原稿読取り時に比べて小さくすることにより、原稿サイズ検出時のまぶしさによる不快感を排除するとした複写機が開示されている。
【特許文献１】特開平１１−２４１８９号公報
【発明の開示】
【発明が解決しようとする課題】
【０００４】
しかし、上記特許文献１の複写機では、原稿サイズ検出時に露光ランプが急に原稿サイズ検出用の発光量で点灯するため、利用者が感じるまぶしさはやはり強いという問題点がある。また、原稿読取り時も同様に、露光ランプが急に原稿読取り用の発光量で点灯するため、利用者にとってまぶしいといった問題点がある。
【０００５】
上記問題点を鑑み、本発明は、原稿サイズ検出または原稿読取りの際の露光ランプ発光によるまぶしさを軽減した画像処理装置を提供することを目的とする。
【課題を解決するための手段】
【０００６】
上記目的を達成するために本発明の画像処理装置は、露光ランプと、未点灯状態から原稿サイズ検出用の発光量まで複数段階で段階的に発光量を高くしながら前記露光ランプを発光させる電源回路と、を備える構成としている。
【０００７】
このような構成によれば、原稿サイズ検出の際に、従来のように未点灯状態から急に原稿サイズ検出用の発光量で露光ランプが発光せずに複数段階で段階的に発光するので、利用者が感じるまぶしさが軽減される。また、露光ランプの点灯による突入電流がないため、電源回路に対する負荷が少なく、突入防止回路が不要でありコスト削減ともなる。
【０００８】
また、本発明の画像処理装置は、上記構成において、前記露光ランプの各段階の各発光時間は順次短くなっている構成にするとよい。これにより、未点灯状態からの初回点灯に対して利用者の目を慣らすことができ、原稿サイズ検出開始までの時間を短縮できる。
【０００９】
また、本発明の画像処理装置は、上記構成において、開閉自在な原稿カバーと、前記原稿カバーが完全に閉まる直前にオンとなるスイッチと、を備え、前記スイッチがオンとなると、前記電源回路は前記露光ランプを未点灯状態から前記原稿サイズ検出用の発光量まで前記段階的に発光させる構成にしてもよい。これにより、利用者が原稿カバーを完全に閉める直前に露光ランプが発光しても利用者が感じるまぶしさは軽減される。
【００１０】
また、上記目的を達成するために本発明の画像処理装置は、露光ランプと、未点灯状態から原稿読取り用の発光量まで複数段階で段階的に発光量を高くしながら前記露光ランプを発光させる電源回路と、を備える構成としている。
【００１１】
このような構成によれば、原稿読取りの際に、従来のように未点灯状態から急に原稿読取り用の発光量で露光ランプが発光せずに複数段階で段階的に発光するので、利用者が感じるまぶしさが軽減される。また、露光ランプの点灯による突入電流がないため、電源回路に対する負荷が少なく、突入防止回路が不要でありコスト削減ともなる。
【００１２】
また、本発明の画像処理装置は、上記構成において、前記露光ランプの各段階の各発光時間は順次短くなっている構成にするとよい。これにより、未点灯状態からの初回点灯に対して利用者の目を慣らすことができ、原稿読取り開始までの時間を短縮できる。
【００１３】
また、本発明の画像処理装置は、上記構成において、開閉自在な原稿カバーと、プリントボタンと、を備え、前記原稿カバーが開いた状態で前記プリントボタンが押下げられると、前記電源回路は前記露光ランプを未点灯状態から前記原稿読取り用の発光量まで前記段階的に発光させる構成にしてもよい。これにより、原稿カバーが開いたまま利用者がプリントボタンを押下げて露光ランプが発光しても利用者が感じるまぶしさは軽減される。
【発明の効果】
【００１４】
本発明の画像処理装置によれば、原稿サイズ検出または原稿読取りの際の露光ランプ発光によるまぶしさを軽減することができる。
【発明を実施するための最良の形態】
【００１５】
以下、本発明の実施形態に関して図面を参照して説明する。ここでは、複写機を一例として説明する。
【００１６】
図１に本発明に係る複写機の概略外観図を示す。また、図２に本発明に係る複写機が有する露光ランプ発光制御に関する構成を示す。
【００１７】
図１に示すように、本発明に係る複写機は、最上部に原稿カバー１を備え、その下部の複写機本体にはコンタクトガラス２、操作パネル３、原稿開閉スイッチ５を備える。なお、複写機本体には、不図示の用紙収納部、給紙部、画像形成部、定着部等も当然に設けられる。
【００１８】
原稿カバー１は一端の支軸回りに開閉自在となっており、コンタクトガラス２に原稿が載置された状態で原稿カバー１を閉めることにより原稿をコンタクトガラス２との間で挟み込み固定できる。コンタクトガラス２は透光性を有し、コンタクトガラス２の下部には後述する画像読取部（図１では不図示）が設けられ、この画像読取部は露光ランプ、ミラー、レンズ、ＣＣＤセンサ等を有し、コンタクトガラス２に載置された原稿が光学的に走査され、原稿サイズ検出や原稿読取りが行われる。
【００１９】
また、操作パネル３には各種ボタンが設けられ、その一つとして原稿の複写を実行するためのプリントボタン４が設けられる。
【００２０】
また、原稿開閉スイッチ５は、原稿カバー１の開閉を検出するためのスイッチであり、原稿カバー１が完全に開いた状態では原稿開閉スイッチ５はオフであり、原稿カバー１が序々に閉められ原稿開閉スイッチ５が押し込まれてゆき、原稿カバー１が完全に閉まる直前に原稿開閉スイッチ５がオンとなり、原稿カバー１を完全に閉めた状態でも原稿開閉スイッチ５はオンである。
【００２１】
また、図２に示すように、本発明に係る複写機は、制御部６と、前述した画像読取部１０と、ＡＣ−ＤＣコンバータ１９とを備える。制御部６は、演算処理部７と、カウンタ８と、タイマ９とを有する。タイマ９はクロックパルスをカウンタ８に出力し、カウンタ８はクロックパルスをカウントしてカウント値を演算処理部７に出力する。演算処理部７は、カウンタ８から入力されるカウント値に応じてデジタル信号を後述するランプレギュレータ制御部１２に出力する。
【００２２】
また、画像読取部１０は、制御回路１１と、露光ランプ１６と、ステッピングモータ１７とを有し、不図示のミラー、レンズ、ＣＣＤセンサ等も有する。制御回路１１は、ランプレギュレータ制御部１２と、ランプレギュレータ１５とを有し、ランプレギュレータ制御部１２はさらにデューティ比制御回路１３と、比較回路１４とを有する。
【００２３】
デューティ比制御回路１３は、スイッチングレギュレータであるランプレギュレータ１５が有するスイッチング素子をスイッチングするためのパルス信号をランプレギュレータ１５に出力する。ＡＣ−ＤＣコンバータ１９は、商用電源１８の交流電圧を直流電圧に変換してランプレギュレータ１５に出力し、ランプレギュレータ１５は、スイッチング素子のスイッチングにより、ＡＣ−ＤＣコンバータ１９から入力される直流電圧をＤＣ−ＤＣ変換して変換後の直流電圧を露光ランプ１６に出力する。また、ランプレギュレータ１５の出力電圧は比較回路１４にも入力され、比較回路１４は、ランプレギュレータ１５からの入力電圧と基準電圧とを比較し比較結果をデューティ比制御回路１３に出力する。デューティ比制御回路１３は、比較回路１４からの比較結果に応じたデューティ比のパルス信号をランプレギュレータ１５に出力し、ランプレギュレータ１５の出力電圧が基準電圧となるようにフィードバック制御される。
【００２４】
露光ランプ１６は、ランプレギュレータ１５からの入力電圧に応じた発光量で発光し、原稿走査の際、コンタクトガラス２（図１）を介して原稿に光を照射する。また、ステッピングモータ１７は制御回路１１により駆動され、原稿走査の際、露光ランプ１６を移動させる。
【００２５】
次に、本発明に係る複写機における原稿サイズ検出または原稿読取りの際の露光ランプ発光制御に関して説明する。
【００２６】
原稿がコンタクトガラス２に載置され原稿カバー１を閉めてゆき原稿カバー１が完全に閉まる直前に原稿開閉スイッチ５がオンとなると、これをトリガとしてタイマ９がクロックパルスの出力を開始し、カウンタ８がクロックパルスのカウントを開始しカウント値の出力を開始する。また、原稿がコンタクトガラス２に載置され原稿カバー１が開いた状態（原稿開閉スイッチ５はオフ）でプリントボタン４が押下げられることもトリガとなる。
【００２７】
演算処理部７は、カウンタ８から最初のカウント値を入力されるとデジタル信号００をランプレギュレータ制御部１２に出力することを開始し、以降カウンタ８から所定の時間Ｔ１に対応するカウント値が入力されるまでデジタル信号００を出力する。
【００２８】
そして、カウンタ８から時間Ｔ１に対応するカウント値が入力されると、演算処理部７はデジタル信号０１をランプレギュレータ制御部１２に出力することを開始し、以降カウンタ８から所定の時間Ｔ１と所定の時間Ｔ２との和に対応するカウント値が入力されるまでデジタル信号０１を出力する。
【００２９】
そして、カウンタ８から時間Ｔ１と時間Ｔ２との和に対応するカウント値が入力されると、演算処理部７はデジタル信号１０をランプレギュレータ制御部１２に出力することを開始し、以降カウンタ８から所定の時間Ｔ１、Ｔ２、Ｔ３の総和に対応するカウント値が入力されるまでデジタル信号１０を出力する。
【００３０】
そして、カウンタ８から時間Ｔ１、Ｔ２、Ｔ３の総和に対応するカウント値が入力されると、演算処理部７はデジタル信号１１をランプレギュレータ制御部１２に出力することを開始し、以降カウンタ８から所定の時間Ｔ１、Ｔ２、Ｔ３、Ｔ４の総和に対応するカウント値が入力されるまでデジタル信号１１を出力する。
【００３１】
そして、カウンタ８から時間Ｔ１、Ｔ２、Ｔ３、Ｔ４の総和に対応するカウント値が入力されると、デジタル信号１１の出力を継続する。
【００３２】
なお、上記Ｔ１、Ｔ２、Ｔ３、Ｔ４の関係は、Ｔ１＞Ｔ２＞Ｔ３＞Ｔ４としており、例えば、Ｔ１＝１．０秒、Ｔ２＝０．５秒、Ｔ３＝０．３秒、Ｔ４＝０．２秒である。
【００３３】
ランプレギュレータ制御部１２は、演算処理部７からデジタル信号００を入力されると基準電圧として所定の電圧Ｖ１を設定し、デューティ比制御回路１３に電圧Ｖ１に対応するデューティ比の初期パルス信号をランプレギュレータ１５に出力させる。以降、演算処理部７からデジタル信号００が入力される間、ランプレギュレータ制御部１２はランプレギュレータ１５の出力電圧に基づきランプレギュレータ１５にパルス信号を出力し、ランプレギュレータ１５の出力電圧が電圧Ｖ１となるようフィードバック制御される。
【００３４】
そして、演算処理部７からデジタル信号０１を入力されるとランプレギュレータ制御部１２は、基準電圧として電圧Ｖ１より高い所定の電圧Ｖ２を設定し、デューティ比制御回路１３に電圧Ｖ２に対応するデューティ比の初期パルス信号をランプレギュレータ１５に出力させる。以降、演算処理部７からデジタル信号０１が入力される間、ランプレギュレータ制御部１２はランプレギュレータ１５の出力電圧に基づきランプレギュレータ１５にパルス信号を出力し、ランプレギュレータ１５の出力電圧が電圧Ｖ２となるようフィードバック制御される。
【００３５】
そして、演算処理部７からデジタル信号１０を入力されるとランプレギュレータ制御部１２は、基準電圧として電圧Ｖ２より高い所定の電圧Ｖ３を設定し、デューティ比制御回路１３に電圧Ｖ３に対応するデューティ比の初期パルス信号をランプレギュレータ１５に出力させる。以降、演算処理部７からデジタル信号１０が入力される間、ランプレギュレータ制御部１２はランプレギュレータ１５の出力電圧に基づきランプレギュレータ１５にパルス信号を出力し、ランプレギュレータ１５の出力電圧が電圧Ｖ３となるようフィードバック制御される。
【００３６】
そして、演算処理部７からデジタル信号１１を入力されるとランプレギュレータ制御部１２は、基準電圧として電圧Ｖ３より高い所定の電圧Ｖ４を設定し、デューティ比制御回路１３に電圧Ｖ４に対応するデューティ比の初期パルス信号をランプレギュレータ１５に出力させる。以降、演算処理部７からデジタル信号１１が入力される間、ランプレギュレータ制御部１２はランプレギュレータ１５の出力電圧に基づきランプレギュレータ１５にパルス信号を出力し、ランプレギュレータ１５の出力電圧が電圧Ｖ４となるようフィードバック制御される。
【００３７】
また、演算処理部７は、時間Ｔ１、Ｔ２、Ｔ３、Ｔ４の総和に対応するカウント値がカウンタ８から入力されると、制御回路１１にステッピングモータ１７を駆動するよう指令し、制御回路１１はステッピングモータ１７の駆動を開始する。
【００３８】
上記のようなランプレギュレータ制御部１２の動作により、ランプレギュレータ１５の出力電圧の時間変化は図３のようになる。ランプレギュレータ１５の出力電圧がまず０Ｖから電圧Ｖ１に立ち上がり、時間Ｔ１の間ほぼ電圧Ｖ１一定に制御され、その後電圧Ｖ２に立ち上がり、時間Ｔ２の間ほぼ電圧Ｖ２一定に制御され、その後電圧Ｖ３に立ち上がり、時間Ｔ３の間ほぼ電圧Ｖ３一定に制御され、その後電圧Ｖ４に立ち上がり、時間Ｔ４の間ほぼ電圧Ｖ４一定に制御され、その後もほぼ電圧Ｖ４一定に制御される。また、電圧Ｖ４に立ち上がってから時間Ｔ４が経過後、ステッピングモータ１７の駆動が開始される。
【００３９】
上記のようなランプレギュレータ１５の出力電圧により、露光ランプ１６の発光量の時間変化は図４のようになる。まず露光ランプ１６は原稿走査の初期位置にある状態で未点灯の状態から発光量Ｌ１で発光し、時間Ｔ１の間その発光量で発光し、その後発光量Ｌ１より高い発光量Ｌ２で発光し時間Ｔ２の間その発光量で発光し、その後発光量Ｌ２より高い発光量Ｌ３で発光し時間Ｔ３の間その発光量で発光し、その後発光量Ｌ３より高い発光量Ｌ４で発光し時間Ｔ４の間その発光量で発光し、その後もその発光量Ｌ４で発光する。発光量Ｌ４で発光してから時間Ｔ４が経過後、ステッピングモータ１７の駆動が開始され、露光ランプ１５は発光量Ｌ４で発光した状態で原稿走査方向に移動を開始し、前述で原稿開閉スイッチがオンとなった場合は原稿サイズ検出が開始され、プリントボタンが押下げられた場合は原稿読取りが開始される。
【００４０】
このように本発明に係る複写機によれば、原稿カバー１が完全に閉まる直前時、または原稿カバー１が開いたままでのプリントボタン押下げ時に、露光ランプ１６は従来のように未点灯の状態から原稿サイズ検出用または原稿読取り用の発光量で急に発光するのではなく、未点灯の状態から原稿サイズ検出用または原稿読取り用の発光量まで４段階で発光量を高くしながら発光するので、利用者が感じるまぶしさが軽減される。また、露光ランプ１６の点灯による突入電流がないため、電源回路に対する負荷が少なく、突入防止回路が不要でありコスト削減ともなる。
【００４１】
また、露光ランプ１６を段階的に発光させる各時間Ｔ１、Ｔ２、Ｔ３、Ｔ４は前述のようにＴ１＞Ｔ２＞Ｔ３＞Ｔ４としており、各段階の発光量変化のうち変化量が最大である未点灯から初回点灯の発光量変化（変化量Ｌ１）に対して利用者の目を慣れさせるため最も長い時間Ｔ１を確保し、以降序々に時間を短くすることで原稿サイズ検出開始または原稿読取り開始までの時間を短縮している。
【００４２】
なお、以上の実施形態では露光ランプの発光量変化を４段階としたが、これに限らず複数段階であれば上記と同様の効果が得られる。
【００４３】
また、以上の実施形態では複写機を一例として説明したが、本発明はこれに限らず、スキャナ、複合機等の様々な画像処理装置に適用が可能である。
【図面の簡単な説明】
【００４４】
【図１】は、本発明に係る複写機の概略外観図である。
【図２】は、本発明に係る複写機が有する露光ランプ発光制御に関する構成を示す図である。
【図３】は、ランプレギュレータの出力電圧の時間変化を示す図である。
【図４】は、露光ランプの発光量の時間変化を示す図である。
【符号の説明】
【００４５】
１    原稿カバー
２    コンタクトガラス
３    操作パネル
４    プリントボタン
５    原稿開閉スイッチ
６    制御部
７    演算処理部
８    カウンタ
９    タイマ
１０    画像読取部
１１    制御回路
１２    ランプレギュレータ制御部
１３    デューティ比制御回路
１４    比較回路
１５    ランプレギュレータ
１６    露光ランプ
１７    ステッピングモータ
１８    商用電源
１９    ＡＣ−ＤＣコンバータ
【図１】
2009135733.tif 000003
【図２】
2009135733.tif 000004
【図３】
2009135733.tif 000005
【図４】
2009135733.tif 000006